(57)【要約】【課題】簡単な構成にて極めて高いアピール効果を奏する釣用ルアーを提供する。【解決手段】釣用ルアー１０は、ヘッド１１とヘッド１１から後方へ延出する針１３を含み、針１３に疑似餌１２を取付け可能とする。ヘッド１１は、平面視にて前方が尖端状の概略三角形となるように左右に突出する羽根部１４と、底面の一部に形成された平坦部とを有する。針１３は、平坦部に対して所定角度傾斜してヘッド１１から延出する。【選択図】図１
2013243983.tif 000002
【特許請求の範囲】
【請求項１】
ヘッドとこのヘッドから後方へ延出する針を含み、この針に疑似餌を取付け可能とした釣用ルアーであって、
前記ヘッドは、平面視にて前方が尖端状の概略三角形となるように左右に突出する羽根部と、底面の一部に形成された平坦部とを有し、
前記針は、前記平坦部に対して所定角度傾斜して前記ヘッドから延出することを特徴とする釣用ルアー。
【請求項２】
前記ヘッドの上面にラインを結束するためのリングを有し、このリングはルアー重力中心点付近に配置されることを特徴とする請求項１に記載の釣用ルアー。
【請求項３】
前記ヘッドから前方へ延出する第２の針を有することを特徴とする請求項１又は２に記載の釣用ルアー。
【請求項４】
前記ヘッド及び該ヘッドから後方へ離間した位置にて、更に２つのフックが垂下されることを特徴とする請求項１又は２に記載の釣用ルアー。
【発明の詳細な説明】
【技術分野】
【０００１】
本発明は、釣用ルアー特にジグルアーに関するものである。
【背景技術】
【０００２】
従来、魚釣りを行うに際して、各種のルアーが用いられている。また、これらルアーは対象魚に応じて、様々な態様のものが用いられている。例えば鯛等を釣るルアーとして、ジグルアーが使用される。ジグを始めとしてこの種のルアーではその形状、彩色あるいはルアーアクションを工夫して、対象魚に対するアピール効果を狙って種々のものが開発されている。
【０００３】
例えば特許文献１の記載の釣り用ジグでは、錘部と錘部から突設されたハリス連結部とを有するジグヘッドと、ハリス連結部に取り付けられたハリスと、該ジグヘッドに設けられた柔軟な細長状の擬似と、ハリス連結部に嵌入脱可能で且つ弾性部材を管状に形成してなる弾性管体と、を備えている。
【先行技術文献】
【特許文献】
【０００４】
【特許文献１】特開２００８−５４５３９号公報
【発明の概要】
【発明が解決しようとする課題】
【０００５】
特にジグルアーではルアーが左右に横揺れし、対象魚に対してアピール効果が高く、この種のルアーにおいて極めて有効な手法とされる。従来のジグルアーにおいてかかる要望があったが、例えば断面▽型と指定するワームを取り付ける必要があったり、あるいは左右に横揺れするもののその振れ幅が小さいためにアピール効果としては不十分であった。
【０００６】
本発明はかかる実情に鑑み、比較的簡単な構成にて極めて高いアピール効果を奏する釣用ルアーを提供することを目的とする。
【課題を解決するための手段】
【０００７】
本発明の釣用ルアーは、ヘッドとこのヘッドから後方へ延出する針を含み、この針に疑似餌を取付け可能とした釣用ルアーであって、前記ヘッドは、平面視にて前方が尖端状の概略三角形となるように左右に突出する羽根部と、底面の一部に形成された平坦部とを有し、前記針は、前記平坦部に対して所定角度傾斜して前記ヘッドから延出することを特徴とする。
【０００８】
また、本発明の釣用ルアーにおいて、前記ヘッドの上面にラインを結束するためのリングを有し、このリングはルアー重力中心点付近に配置されることを特徴とする。
【０００９】
また、本発明の釣用ルアーにおいて、前記ヘッドから前方へ延出する第２の針を有することを特徴とする。
【００１０】
また、本発明の釣用ルアーにおいて、前記ヘッド及び該ヘッドから後方へ離間した位置にて、更に２つのフックが垂下されることを特徴とする。
【発明の効果】
【００１１】
本発明によれば、ジグに上下方向の動きを与えることで、取り付けるワームの形状に関わらず、ルアーが大きく左右に滑空することで、対象魚に対して極めて強いアピール効果を奏する。
【図面の簡単な説明】
【００１２】
【図１】本発明に係る釣用ルアーの全体構成を示す斜視図である。
【図２】本発明に係る釣用ルアーの側面図である。
【図３】本発明に係る釣用ルアーの正面図、斜視図及び横断面図である。
【図４】本発明に係る釣用ルアーの別の例における全体構成を示す斜視図である。
【図５】別の例に係る釣用ルアーの側面図である。
【図６】別の例に係る釣用ルアーの正面図、斜視図及び横断面図である。
【図７】本発明に係る釣用ルアーの更に別の例における全体構成を示す斜視図である。
【図８】更に別の例に係る釣用ルアーの側面図である。
【図９】更に別の例に係る釣用ルアーの正面図、斜視図及び横断面図である。
【発明を実施するための形態】
【００１３】
以下、図面に基づき、本発明による釣用ルアーにおける好適な実施の形態を説明する。
図１は、本発明に係るルアー１０の例を示している。このルアー１０は前部に金属製のヘッド１１を有し、後部には例えばワーム等でなる疑似餌１２がヘッド１１に取り付けられる。ヘッド１１は鉛等の金属材料を用いて所定形状に形成され、ルアー１０の主要重量を構成する。ヘッド１１の後端部から針（もしくはフック）１３が後方へ延出し、両者は一体的に結合する。針１３はその先端が略前方へ折り返すように上方へカールし、疑似餌１２を突き刺すかたちで係止して保持することができる。なお、針１３に取り付けた疑似餌１２は、必要に応じて適宜取り外すことがきる。
【００１４】
また、図２はヘッド１１側面図を示し、図３はヘッド単体を示している。ヘッド１１は、平面視にて前方が尖端状の概略三角形となるように左右に突出する羽根部１４を有する。即ち、羽根部１４は後方側が左右方向で幅広となるように形成される。また、ヘッド１１はその中央部にて前部から後部へ向かって次第に高くなる稜線状に突出する山型状を呈し、左右の羽根部１４がその山型の裾野部を形成するように連設される。ヘッド１１は羽根部１４の部位も含めて全体として上に凸状となるように、滑らかなラインで構成される形態を有する。
【００１５】
ヘッド１１の上面（稜線対応部）の後端部寄りには、釣竿側から引き出されたライン１を図１のように結束するためのリング１５が固定される。リング１５はインサート成形等によりヘッド１１に一体的に結合するが、リング１５の取付のために適度な深さの凹陥部１６を設け、この凹陥部１６内に沈み込むようにリング１５を配置することができる。
【００１６】
ここで、ヘッド１１の重心Ｇはその前後長手方向の中央部よりも後方に偏倚して設定されるが、リング１５はこの重心Ｇよりも適度に後方に配置される。リング１５をこのように重心Ｇよりも後方に配置することで、ライン１によりリング１５を介してヘッド１１を垂下した際、ヘッド１１は適度に前傾姿勢になる。なお、ヘッド１１の左右方向ではリング１５はそのセンターに配置され、ライン１により左右バランス良く垂下される。
【００１７】
更に、ヘッド１１の底面は、上述した山型状の突出形態とは異なり、概して平坦状であり、その一部に形成された平坦部１７を有する。この平坦部１７はヘッド１１の前端部から所定領域に形成され、適度な面積を持つ。針１３は図２に示すように、平坦部１７に対して所定角度傾斜してヘッド１１から後方へ延出する。この傾斜角度としては図２のようにθ＝０〜１５°程度とする。
【００１８】
上記のように構成された本実施形態のルアー１０において、図１のように疑似餌１２がヘッド１１に取り付けられと共に、リング１５にライン１が接続される。図示しない釣竿の操作でルアー１０をキャスティングして目標点に着水させると、ルアー１０はその自重により水中に沈下するが、その途中、適宜のタイミング及び力加減で上下方向の動きを与えることでルアーアクションをコントロールすることができる。
【００１９】
上記の場合、ライン１を引いてルアー１０を遊泳させると、ヘッド１１の左右に張り出した羽根部１４で水流抵抗を受け、その際左右バランスの適度な違いから左右いずれかの方向へ振れると共にその後引き続きて、あたかも振り子のように反対方向へ戻ろうとする。この場合、羽根部１４は概略三角形となるように左右に大きく張り出しているため、効率よく水を掴むことができる。また、ヘッド１１は前傾姿勢になるように重心設定されているため、ライン１を引くことで従来にない高い釣果を期待することができる。
【００２０】
また、針１３は上述のように上方に傾斜してヘッド１１から後方へ延出し、先端が上方へカールしており、これにより疑似餌１２を狙った対象魚に容易且つ的確にフッキングさせ、その魚を確実に捕獲することができる。
【００２１】
次に図４は、本発明に係るルアー１０の変形例を示している。この例のルアー１０の基本構成は上述の実施形態の場合と実質的に同様であり、即ちヘッド１１の後端部から後方へ延出する針１３を有し、ライン１がリング１５に結束されるようになっている。この場合もワーム等でなる疑似餌１２が針１３に取り付けられるものとする。
特にこの例では図５及び図６に示すように、ヘッド１１の前側に取り付けられた第２の針（もしくはフック）１８を更に有している。この第２の針１８は、その先端が略後方へ折り返すように上方へカールする。
【００２２】
対象魚のうち例えば特にメバル等は、エサの頭から食ってくるという習性がある。この例のルアー１０はヘッド１１の前部に第２の針１８を有しているため、かかる習性を持つ対象魚に極めて有効に作用する。
【００２３】
次に図７〜図９は、本発明に係るルアー１０の更に別の変形例を示している。この例のルアー１０の基本構成は上述の実施形態の場合と実質的に同様であり、ヘッド１１の後端部から後方へ延出する針１３を有するが、この針１３の構成が上記の場合と若干相違する。図８にも示すように針１３はヘッド１１の後方へ直線状に延出すると共に、針１３と略平行にフックホルダ１９がヘッド１１の後方へ延出する。フックホルダ１９の先端部には針１３側へ突出する屈曲部１９ａが形成され、針１３に突き刺した疑似餌１２を屈曲部１９ａにて挟着固定することができるようになっている。
【００２４】
また、ヘッド１１及びヘッド１１から後方へ離間した位置にて、更に２つのフックが垂下される。この例ではヘッド１１の底面における後部寄りとフックホルダ１９の先端とにそれぞれ、スプリットリング２０を介してトレブルフック２１が取り付けられる。
【００２５】
この実施形態においてもヘッド１１の左右に張り出した羽根部１４で水流抵抗を受け、上述の各実施形態の場合と同様に大きな動作を発生する。特に２つのトレブルフック２１を有することで、対象魚に容易且つ的確にフッキングさせて高い釣果を期待することができる。
【００２６】
以上、本発明を種々の実施形態と共に説明したが、本発明はこれらの実施形態にのみ限定されるものではなく、本発明の範囲内で変更等が可能である。
例えば、疑似餌１２としてワームの他にフライフィッシング用のものや、あるいは人工的なもの等、釣り環境に応じて適宜選択することができる。
また、上記実施形態において用いた数値等は必要に応じて適宜変更可能である。
【符号の説明】
【００２７】
１０  ルアー、１１  ヘッド、１２  疑似餌、１３  針（もしくはフック）、１４  羽根部、１５  リング、１６  凹陥部、１７  平坦部、１８  第２の針（もしくはフック）、１９  フックホルダ、２０  スプリットリング、２１  トレブルフック。
【図１】
2013243983.tif 000003
【図２】
2013243983.tif 000004
【図３】
2013243983.tif 000005
【図４】
2013243983.tif 000006
【図５】
2013243983.tif 000007
【図６】
2013243983.tif 000008
【図７】
2013243983.tif 000009
【図８】
2013243983.tif 000010
【図９】
2013243983.tif 000011